(57)【要約】【課題】ネットワーク監視制御装置のネットワーク構成に関する設定を自動化すること。【解決手段】各伝送装置１０は、隣接する伝送装置１０との間の接続情報が接続情報挿入部１２によって挿入されたヘルスチェック用フレームを通信状態確認部１１が相互に送信し、隣接する伝送装置１０から通信状態確認部１１が受信したヘルスチェック用フレームから接続情報解析部１３が接続情報を取り出して隣接情報管理テーブル１４に記憶し、ネットワーク監視制御装置１００は、隣接情報取得部１１０が各伝送装置１０の隣接情報管理テーブル１４から隣接情報を取得し、隣接情報登録部１２０が隣接情報をログイン管理テーブル１３０に登録するよう構成する。【選択図】        図１
2006270556.tif 000002
【特許請求の範囲】
【請求項１】
複数の伝送装置から構成されるＳＤＨ／ＳＯＮＥＴネットワークを監視制御するネットワーク監視制御装置であって、
隣接する伝送装置との間の接続に関する情報である隣接情報を各伝送装置から取得する隣接情報取得手段と、
前記隣接情報取得手段により各伝送装置から取得された隣接情報に基づいてＳＤＨ／ＳＯＮＥＴネットワークを監視制御する監視制御手段と、
を備えたことを特徴とするネットワーク監視制御装置。
【請求項２】
前記監視制御手段は、前記隣接情報取得手段により各伝送装置から取得された隣接情報に基づいてＳＤＨ／ＳＯＮＥＴネットワークの構成図を表示する構成図表示手段を備えたことを特徴とする請求項１に記載のネットワーク監視制御装置。
【請求項３】
前記隣接情報取得手段は、各伝送装置から隣接する全ての伝送装置について、識別子と、接続元および接続先のポート情報と、網構成情報とを隣接情報として取得し、
前記構成図表示手段は、前記構成図に伝送装置の識別子と、接続元および接続先のポート情報と、網構成情報を含めることを特徴とする請求項２に記載のネットワーク監視制御装置。
【請求項４】
複数の伝送装置から構成されるＳＤＨ／ＳＯＮＥＴネットワークを監視制御するネットワーク監視制御方法であって、
各伝送装置が隣接する伝送装置との間で通信状態を相互に確認する際に使用する通信状態確認用情報に該通信状態確認用情報の伝送先の伝送装置との間の接続に関する情報である接続情報を含めて隣接する伝送装置に送信する隣接情報送信工程と、
前記隣接情報送信工程により送信された情報に基づいて各伝送装置が隣接する伝送装置との間の接続に関する情報である隣接情報を作成する隣接情報作成工程と、
前記隣接情報作成工程により作成された隣接情報をＳＤＨ／ＳＯＮＥＴネットワークを監視するネットワーク監視制御装置が各伝送装置から取得する隣接情報取得工程と、
前記隣接情報取得工程により各伝送装置から取得された隣接情報に基づいてネットワーク監視制御装置がＳＤＨ／ＳＯＮＥＴネットワークを監視制御する監視制御工程と、
を含んだことを特徴とするネットワーク監視制御方法。
【請求項５】
複数の伝送装置から構成されるＳＤＨ／ＳＯＮＥＴネットワークをネットワーク監視制御装置が監視制御するネットワーク監視制御システムであって、
各伝送装置は、
隣接する伝送装置との間で通信状態を相互に確認する際に使用する通信状態確認用情報に該通信状態確認用情報の伝送先の伝送装置との間の接続に関する情報である接続情報を含めて隣接する伝送装置に送信する隣接情報送信手段と、
前記隣接情報送信手段により送信された情報に基づいて、隣接する伝送装置との間の接続に関する情報である隣接情報を作成する隣接情報作成手段と、
を備え、
前記ネットワーク監視制御装置は、
前記隣接情報作成手段により作成された隣接情報を各伝送装置から取得する隣接情報取得手段と、
前記隣接情報取得手段により各伝送装置から取得された隣接情報に基づいてＳＤＨ／ＳＯＮＥＴネットワークを監視制御する監視制御手段と、
を備えたことを特徴とするネットワーク監視制御システム。
【発明の詳細な説明】
【技術分野】
【０００１】
この発明は、複数の伝送装置から構成されるＳＤＨ／ＳＯＮＥＴネットワークを監視制御するネットワーク監視制御装置、ネットワーク監視制御方法およびネットワーク監視制御システムに関し、特に、ネットワーク構成を自動認識し、もってネットワーク構成に関する設定作業を不要とすることができるネットワーク監視制御装置、ネットワーク監視制御方法およびネットワーク監視制御システムに関するものである。
【背景技術】
【０００２】
ＳＤＨ／ＳＯＮＥＴフレームを伝送する伝送装置から構成されるＳＤＨ／ＳＯＮＥＴネットワークにおいては、ネットワークを監視制御する装置を用いてネットワークの監視制御を行っている。例えば、特許文献１および２には、管理装置を用いてＳＤＨ／ＳＯＮＥＴネットワークを管理する技術が記載されている。
【０００３】
【特許文献１】特開平３−２２６０３５号公報
【特許文献２】特開２０００−２３２４４７号公報
【発明の開示】
【発明が解決しようとする課題】
【０００４】
しかしながら、かかるネットワーク監視制御装置を用いてネットワークを監視制御するためには、ネットワーク構成に関する情報をネットワーク監視制御装置に手作業で設定する必要があり、設定作業に膨大な工数を必要とするとともに、設定ミスなどによって作業効率が悪いという問題がある。
【０００５】
また、ネットワークへの伝送装置の追加やネットワークからの伝送装置の削除などネットワーク構成を変更するたびに、ネットワーク監視制御装置の設定を変更する必要があるという問題もある。
【０００６】
この発明は、上述した従来技術による問題点を解消するためになされたものであり、ネットワーク構成を自動認識し、もってネットワーク構成に関する設定作業を不要とすることができるネットワーク監視制御装置、ネットワーク監視制御方法およびネットワーク監視制御システムを提供することを目的とする。
【課題を解決するための手段】
【０００７】
上述した課題を解決し、目的を達成するため、請求項１の発明に係るネットワーク監視制御装置は、複数の伝送装置から構成されるＳＤＨ／ＳＯＮＥＴネットワークを監視制御するネットワーク監視制御装置であって、隣接する伝送装置との間の接続に関する情報である隣接情報を各伝送装置から取得する隣接情報取得手段と、前記隣接情報取得手段により各伝送装置から取得された隣接情報に基づいてＳＤＨ／ＳＯＮＥＴネットワークを監視制御する監視制御手段と、を備えたことを特徴とする。
【０００８】
この請求項１の発明によれば、隣接する伝送装置との間の接続に関する情報である隣接情報を各伝送装置から取得し、各伝送装置から取得した隣接情報に基づいてＳＤＨ／ＳＯＮＥＴネットワークを監視制御するよう構成したので、ネットワーク構成を自動認識して監視制御を行うことができる。
【０００９】
また、請求項２の発明に係るネットワーク監視制御装置は、請求項１の発明において、前記監視制御手段は、前記隣接情報取得手段により各伝送装置から取得された隣接情報に基づいてＳＤＨ／ＳＯＮＥＴネットワークの構成図を表示する構成図表示手段を備えたことを特徴とする。
【００１０】
この請求項２の発明によれば、各伝送装置から取得した隣接情報に基づいてＳＤＨ／ＳＯＮＥＴネットワークの構成図を表示するよう構成したので、ネットワーク構成を自動認識してネットワーク構成図を表示することができる。
【００１１】
また、請求項３の発明に係るネットワーク監視制御装置は、請求項２の発明において、前記隣接情報取得手段は、各伝送装置から隣接する全ての伝送装置について、識別子と、接続元および接続先のポート情報と、網構成情報とを隣接情報として取得し、前記構成図表示手段は、前記構成図に伝送装置の識別子と、接続元および接続先のポート情報と、網構成情報を含めることを特徴とする。
【００１２】
この請求項３の発明によれば、各伝送装置から隣接する全ての伝送装置について、識別子と、接続元および接続先のポート情報と、網構成情報とを隣接情報として取得し、構成図に伝送装置の識別子と、接続元および接続先のポート情報と、網構成情報を含めるよう構成したので、ポート情報および網構成情報を自動的に取得して構成図に表示することができる。
【００１３】
また、請求項４の発明に係るネットワーク監視制御方法は、複数の伝送装置から構成されるＳＤＨ／ＳＯＮＥＴネットワークを監視制御するネットワーク監視制御方法であって、各伝送装置が隣接する伝送装置との間で通信状態を相互に確認する際に使用する通信状態確認用情報に該通信状態確認用情報の伝送先の伝送装置との間の接続に関する情報である接続情報を含めて隣接する伝送装置に送信する隣接情報送信工程と、前記隣接情報送信工程により送信された情報に基づいて各伝送装置が隣接する伝送装置との間の接続に関する情報である隣接情報を作成する隣接情報作成工程と、前記隣接情報作成工程により作成された隣接情報をＳＤＨ／ＳＯＮＥＴネットワークを監視するネットワーク監視制御装置が各伝送装置から取得する隣接情報取得工程と、前記隣接情報取得工程により各伝送装置から取得された隣接情報に基づいてネットワーク監視制御装置がＳＤＨ／ＳＯＮＥＴネットワークを監視制御する監視制御工程と、を含んだことを特徴とする。
【００１４】
この請求項４の発明によれば、各伝送装置が隣接する伝送装置との間で通信状態を相互に確認する際に使用する通信状態確認用情報に通信状態確認用情報の伝送先の伝送装置との間の接続に関する情報である接続情報を含めて隣接する伝送装置に送信し、隣接する伝送装置から送信された情報に基づいて各伝送装置が隣接する伝送装置との間の接続に関する情報である隣接情報を作成し、各伝送装置が作成した隣接情報をＳＤＨ／ＳＯＮＥＴネットワークを監視するネットワーク監視制御装置が各伝送装置から取得し、各伝送装置から取得した隣接情報に基づいてネットワーク監視制御装置がＳＤＨ／ＳＯＮＥＴネットワークを監視制御するよう構成したので、ネットワーク構成を自動認識して監視制御を行うことができる。
【００１５】
また、請求項５の発明に係るネットワーク監視制御システムは、複数の伝送装置から構成されるＳＤＨ／ＳＯＮＥＴネットワークをネットワーク監視制御装置が監視制御するネットワーク監視制御システムであって、各伝送装置は、隣接する伝送装置との間で通信状態を相互に確認する際に使用する通信状態確認用情報に該通信状態確認用情報の伝送先の伝送装置との間の接続に関する情報である接続情報を含めて隣接する伝送装置に送信する隣接情報送信手段と、前記隣接情報送信手段により送信された情報に基づいて、隣接する伝送装置との間の接続に関する情報である隣接情報を作成する隣接情報作成手段と、を備え、前記ネットワーク監視制御装置は、前記隣接情報作成手段により作成された隣接情報を各伝送装置から取得する隣接情報取得手段と、前記隣接情報取得手段により各伝送装置から取得された隣接情報に基づいてＳＤＨ／ＳＯＮＥＴネットワークを監視制御する監視制御手段と、を備えたことを特徴とする。
【００１６】
この請求項５の発明によれば、各伝送装置は、隣接する伝送装置との間で通信状態を相互に確認する際に使用する通信状態確認用情報に通信状態確認用情報の伝送先の伝送装置との間の接続に関する情報である接続情報を含めて隣接する伝送装置に送信し、隣接する伝送装置から送信された情報に基づいて、隣接する伝送装置との間の接続に関する情報である隣接情報を作成し、ネットワーク監視制御装置は、各伝送装置が作成した隣接情報を各伝送装置から取得し、各伝送装置から取得した隣接情報に基づいてＳＤＨ／ＳＯＮＥＴネットワークを監視制御するよう構成したので、ネットワーク監視制御装置がネットワーク構成を自動認識して監視制御を行うことができる。
【発明の効果】
【００１７】
請求項１、４および５の発明によれば、ネットワーク構成を自動認識して監視制御を行うので、ネットワーク構成に関する設定作業を不要とすることができるという効果を奏する。
【００１８】
また、請求項２の発明によれば、ネットワーク構成を自動認識してネットワーク構成図を表示するので、ネットワーク構成に関する設定なしにネットワーク構成図を表示することができるという効果を奏する。
【００１９】
また、請求項３の発明によれば、ポート情報および網構成情報を自動的に取得して構成図に表示するので、ネットワーク管理者はポートが正しく接続されているか否かを容易に把握することができるという効果を奏する。
【発明を実施するための最良の形態】
【００２０】
以下に添付図面を参照して、この発明に係るネットワーク監視制御装置、ネットワーク監視制御方法およびネットワーク監視制御システムの好適な実施例を詳細に説明する。
【実施例】
【００２１】
まず、本実施例に係るネットワーク監視制御システムの構成について説明する。図１は、本実施例に係るネットワーク監視制御システムの構成を示す図である。同図に示すように、このネットワーク監視制御システムは、３台の伝送装置１０から構成されるリング状ＳＤＨ／ＳＯＮＥＴネットワークと、２台の伝送装置１０から構成されるリング状ＳＤＨ／ＳＯＮＥＴネットワークが相互に接続され、全体で５台ある伝送装置１０のうちの１台にネットワークの監視制御を行うネットワーク監視制御装置１００が接続されて構成される。
【００２２】
なお、ここでは、５台の伝送装置から構成されるネットワーク監視制御システムについて説明するが、ネットワーク監視制御システムは、任意の台数の伝送装置１０から構成することができる。
【００２３】
５台の伝送装置１０は、それぞれ「ＴＯＫＹＯ」、「ＯＳＡＫＡ」、「ＫＹＯＴＯ」、「ＦＵＫＵＯＫＡ」、「ＳＡＰＰＯＲＯ」をＴＩＤ（Terminal ID）として有する。ここで、ＴＩＤとは、各伝送装置１０を識別するための識別子である。以下、ＴＩＤを用いて、各伝送装置１０を伝送装置「ＴＯＫＹＯ」などと呼ぶこととする。
【００２４】
図２は、伝送装置１０の構成を示す機能ブロック図である。同図に示すように、この伝送装置１０は、通信状態確認部１１と、接続情報挿入部１２と、接続情報解析部１３と、隣接情報管理テーブル１４と、リモートログイン処理部１５とを有する。
【００２５】
通信状態確認部１１は、隣接する伝送装置１０と相互に通信が可能であるかをチェックする処理部である。具体的には、この通信状態確認部１１は、ＳＤＨ／ＳＯＮＥＴオーバーヘッドのＤチャネルを用いて隣接する伝送装置１０と定期的にヘルスチェック（Health Check：通信状態確認）を行う。
【００２６】
図３−１は、ヘルスチェック用フレームフォーマットを示す図である。同図に示すように、ヘルスチェック用フレームは、二つのＦＬＧと、ＬＥＮと、ＣＴＬと、ＦＴと、データ部と、ＦＣＳとを有する。なお、ヘルスチェック用フレームとしては、ヘルスチェック確認のためのヘルスチェック確認フレームとヘルスチェック確認フレームに対して応答するためのヘルスチェック応答フレームがあるが、ここでは、ヘルスチェック応答フレームについて説明する。
【００２７】
ＦＬＧは、フレームの先頭と終了を示すためのビットパターンであり、データ区切りを識別するために使用される。ＬＥＮはフレームのデータ長を示し、ここでは「１２８」の固定値である。ＣＴＬは、フレームの制御コードであり、ここでは、ヘルスチェック応答フレームであることを示すＡＣＫフレームのコード０ｘＦＦとなる。ＦＴはフレームの種別を示し、ここでは、ヘルスチェック応答フレームであるＡＣＫフレームを示す０ｘ０１となる。ＦＣＳは、フレームの誤り検出用の検査値である。
【００２８】
データ部には、従来のヘルスチェック応答フレームでは「０」となるが、本実施例に係る伝送装置１０は、ヘルスチェック応答フレームの送信先の伝送装置１０との接続に関する情報である接続情報をこのデータ部に挿入してヘルスチェックの応答を行う。
【００２９】
図３−２は、データ部の詳細を示す図である。同図に示すように、データ部には、接続情報としてＴＩＤ情報と、Port情報と、ＰＧ種別とが含まれる。ＴＩＤ情報は、ヘルスチェック応答フレームを送信する伝送装置１０のＴＩＤであり、ＡＳＣＩＩコードでＴＩＤが格納される。Port情報は、ヘルスチェック応答フレームを送信する伝送装置１０のポートの情報であり、ＰＧ種別は、ヘルスチェック応答フレームを送受信する伝送装置１０間のネットワークの網構成情報（ＰＧ：Protection Group）である。
【００３０】
図４は、ヘルスチェック応答フレームによる接続情報の送信例を示す図である。同図に示すように、各伝送装置１０は、隣接する伝送装置１０から定期的に送られてくるヘルスチェック確認フレームに対して応答するためのヘルスチェック応答フレームにＴＩＤ、ポート（Port）およびＰＧの情報を挿入して送信する。
【００３１】
例えば、伝送装置「ＯＳＡＫＡ」は、伝送装置「ＴＯＫＹＯ」に対して、ＴＩＤとして「ＯＳＡＫＡ」を、ポートの情報として「ＨＳ−１」を、ＰＧの情報として「１０Ｇ  ＵＰＳＲ」をヘルスチェック応答フレームに挿入して送信し、伝送装置「ＫＹＯＴＯ」に対して、ＴＩＤとして「ＯＳＡＫＡ」を、ポートの情報として「ＨＳ−２」を、ＰＧの情報として「１０Ｇ  ＵＰＳＲ」をヘルスチェック応答フレームに挿入して送信する。ここで、「１０Ｇ」は伝送速度が１０ギガビット／秒であることを示し、「ＵＰＳＲ（Unidirectional Path Switched Ring）」は障害発生時の切替方式を示す。
【００３２】
このように、本実施例に係る伝送装置１０は、隣接する伝送装置１０との間でヘルスチェックを行う際に、データ部にＴＩＤ、ポートおよびＰＧの情報を挿入してヘルスチェック応答フレームを送信することによって、隣接する伝送装置１０との間の接続情報を取得することができる。
【００３３】
接続情報挿入部１２は、ヘルスチェック応答フレームのデータ部にＴＩＤ、ポートおよびＰＧの情報を挿入する処理部である。接続情報解析部１３は、通信状態確認部１１が他の伝送装置１０から受信したヘルスチェック応答フレームからＴＩＤ、ポートおよびＰＧの情報を取り出して隣接情報管理テーブル１４に登録された情報と異なる場合には隣接情報管理テーブル１４を更新する処理部である。
【００３４】
隣接情報管理テーブル１４は、隣接する伝送装置１０から送信された接続情報を隣接情報として管理するためのテーブルである。図５は、隣接情報管理テーブル１４の例を示す図である。同図に示すように、この隣接情報管理テーブル１４は、隣接する伝送装置１０ごとに、自装置のポート（接続元ポート）を示す自Portと、隣接する伝送装置１０のポート（接続先ポート）を示す接続先Portと、隣接する伝送装置１０のＴＩＤを示す接続先ＴＩＤと、ＰＧを示すＰＧ種別とを記憶する。例えば、伝送装置「ＯＳＡＫＡ」は、ポート「ＨＳ−１」が伝送装置「ＴＯＫＹＯ」のポート「ＨＳ−２」と「１０Ｇ  ＵＰＳＲ」によって接続される。
【００３５】
リモートログイン処理部１５は、ネットワーク監視制御装置１００のリモートログインを受け付けて隣接情報管理テーブル１４に記憶された隣接情報をネットワーク監視制御装置１００に送信する処理部である。また、このリモートログイン処理部１５は、他の伝送装置１０に対するネットワーク監視制御装置１００からのリモートログイン要求については、その伝送装置１０に転送し、他の伝送装置１０からの隣接情報については、ネットワーク監視制御装置１００に転送する。
【００３６】
図１に戻って、ネットワーク監視制御装置１００は、伝送装置「ＯＳＡＫＡ」に接続され、隣接情報取得部１１０と、隣接情報登録部１２０と、ログイン管理テーブル１３０と、隣接情報取得判定部１４０と、ネットワーク図表示部１５０と、監視制御部１６０とを有する。
【００３７】
隣接情報取得部１１０は、各伝送装置１０にログインして隣接情報管理テーブル１４に記憶された隣接情報を定期的に取得する処理部であり、取得した隣接情報を隣接情報登録部１２０に渡す。
【００３８】
隣接情報登録部１２０は、隣接情報取得部１１０が取得した隣接情報に基づいてネットワーク構成に関する情報をログイン管理テーブル１３０に登録する処理部である。また、この隣接情報登録部１２０は、取得した隣接情報がログイン管理テーブル１３０に既に登録されている情報と異なる場合には、取得した隣接情報を用いてログイン管理テーブル１３０を更新する。
【００３９】
この隣接情報登録部１２０が、隣接情報取得部１１０が定期的に取得した隣接情報がログイン管理テーブル１３０に既に登録されている情報と異なる場合に、取得した隣接情報を用いてログイン管理テーブル１３０を更新することによって、ログイン管理テーブル１３０に最新のネットワーク構成に関する情報を記憶させることができる。
【００４０】
ログイン管理テーブル１３０は、ネットワーク構成に関する情報を記憶する記憶部である。図６は、ログイン管理テーブル１３０の一例を示す図である。同図は、ネットワーク監視制御装置１００が、直接接続する伝送装置「ＯＳＡＫＡ」にログインして隣接情報を取得した初期状態と、その後他の伝送装置１０に順番にリモートログインして隣接情報を取得した更新状態（その１）および（その２）と、全ての伝送装置１０から隣接情報を取得した最終状態とを示す。
【００４１】
同図に示すように、このログイン管理テーブル１３０は、ログインして隣接情報を取得した伝送装置１０ごとに、ＴＩＤを示すログイン済ＴＩＤと、ポートを示すPort情報と、接続先の伝送装置１０のＴＩＤを示すPort接続先と、網構成情報を示すＰＧ種別とを記憶する。
【００４２】
また、ここでは、ネットワーク監視制御装置１００が、伝送装置「ＯＳＡＫＡ」、伝送装置「ＫＹＯＴＯ」、伝送装置「ＴＯＫＹＯ」、伝送装置「ＳＡＰＰＯＲＯ」、伝送装置「ＦＵＫＵＯＫＡ」の順で隣接情報を取得している。
【００４３】
隣接情報取得判定部１４０は、ログイン管理テーブル１３０のPort接続先に登録されている伝送装置１０の中で、ログイン済ＴＩＤにＴＩＤが登録されていない伝送装置１０、すなわち隣接情報を取得していない伝送装置１０があるか否かを判定し、隣接情報を取得していない伝送装置１０がある場合には、隣接情報の取得を隣接情報取得部１１０に対して指示する処理部である。
【００４４】
この隣接情報取得判定部１４０がログイン管理テーブル１３０のPort接続先に登録されている伝送装置１０の中で隣接情報を取得していない伝送装置１０があるか否かを判定し、隣接情報を取得していない伝送装置１０がある場合には、隣接情報の取得を隣接情報取得部１１０に対して指示することによって、ネットワークを構成する全ての伝送装置１０の隣接情報を取得することができる。
【００４５】
ネットワーク図表示部１５０は、ログイン管理テーブル１３０に記憶された情報を用いてネットワーク構成図を表示装置に表示する処理部である。具体的には、このネットワーク図表示部１５０は、図１に示すように、接続されている伝送装置１０間を線で接続して表示するとともに、ＴＩＤ、ポートおよびＰＧの情報を表示する。
【００４６】
監視制御部１６０は、ログイン管理テーブル１３０に記憶された情報を用いてネットワークの監視制御を行う処理部である。なお、ネットワークの監視制御のうち、ネットワーク構成図の表示についてはネットワーク図表示部１５０によって行われる。
【００４７】
次に、本実施例に係るネットワーク監視制御装置１００による未ログインＮＥ検出処理の処理手順について説明する。図７は、本実施例に係るネットワーク監視制御装置１００による未ログインＮＥ検出処理の処理手順を示すフローチャートである。ここで、ＮＥ（Network Element）は伝送装置１０を示し、ＧＮＥはネットワーク監視制御装置１００が直接接続されている伝送装置「ＯＳＡＫＡ」を示す。
【００４８】
同図に示すように、この未ログインＮＥ検出処理では、隣接情報取得部１１０がまずＧＮＥにログインし（ステップＳ１０１）、ＧＮＥの隣接情報を取得する（ステップＳ１０２）。
【００４９】
そして、隣接情報取得部１１０がＧＮＥから取得した隣接情報を隣接情報登録部１２０がログイン管理テーブル１３０に登録し（ステップＳ１０３）、ログイン管理テーブル１３０のPort接続先として記憶されているＮＥについてログイン済ＴＩＤに記憶されているＮＥと比較する（ステップＳ１０４）。
【００５０】
そして、ログイン管理テーブル１３０のPort接続先として記憶されているＮＥがログイン済ＴＩＤに記憶されているいずれかのＮＥに一致するか否か、すなわちログイン済ＮＥであるか否かを隣接情報取得判定部１４０が判定する（ステップＳ１０５）。
【００５１】
その結果、ログイン済ＴＩＤに記憶されているいずれかのＮＥに一致する場合には、全てのＮＥから隣接情報を取得した場合であるので、次の周期で隣接情報が取得されてログイン管理テーブル１３０が更新される可能性がある時間分待ち（ステップＳ１０６）、ステップＳ１０４に戻って、隣接情報取得判定部１４０が新たな未ログインＮＥの有無を判定する。
【００５２】
一方、ログイン済ＴＩＤに記憶されているいずれかのＮＥに一致しないＮＥがある場合には、未ログインＮＥがある場合であるので、隣接情報取得判定部１４０は隣接情報取得部１１０に対して未ログインＮＥから隣接情報を取得するように指示し、隣接情報取得部１１０がＧＮＥを経由して未ログインＮＥへリモートログインし（ステップＳ１０７）、隣接情報を取得する（ステップＳ１０８）。
【００５３】
そして、隣接情報取得部１１０によって取得された隣接情報を隣接情報登録部１２０がログイン管理テーブル１３０に登録し（ステップＳ１０９）、ステップＳ１０４に戻って隣接情報取得判定部１４０が他の未ログインＮＥの有無を判定する。
【００５４】
このように、隣接情報取得判定部１４０がログイン管理テーブル１３０の情報を用いて未ログインＮＥの有無を判定し、未ログインＮＥがある場合には、隣接情報取得部１１０がＧＮＥを経由して未ログインＮＥへリモートログインして隣接情報を取得することによって、ネットワーク構成に関する情報を取得することができる。
【００５５】
次に、本実施例に係るネットワーク監視制御装置１００によるネットワーク構成変更検出処理の処理手順について説明する。図８は、本実施例に係るネットワーク監視制御装置１００によるネットワーク構成変更検出処理の処理手順を示すフローチャートである。なお、このネットワーク構成変更検出処理は定期的に起動される。
【００５６】
同図に示すように、このネットワーク構成変更検出処理では、隣接情報取得部１１０がログイン済ＮＥから隣接情報を取得し（ステップＳ２０１）、隣接情報登録部１２０が隣接情報取得部１１０によって取得された各隣接情報のポートごとに接続先ＴＩＤとログイン管理テーブル１３０のPort接続先とを比較する（ステップＳ２０２）。
【００５７】
その結果、両者の情報が一致する場合には、そのポートに接続するＮＥには変更がない場合なので、隣接情報登録部１２０は、そのポートについて、取得した隣接情報のＰＧ種別とログイン管理テーブル１３０のＰＧ種別とを比較し（ステップＳ２０４）、ＰＧ種別が一致するか否かを判定する（ステップＳ２０５）。
【００５８】
その結果、ＰＧ種別が一致する場合には、ステップＳ２０８に進み、ＰＧ種別が一致しない場合には、隣接情報登録部１２０は、ログイン管理テーブル１３０のＰＧ種別を更新し（ステップＳ２０６）、ネットワーク図表示部１５０がネットワーク構成図を更新する（ステップＳ２０７）。
【００５９】
そして、隣接情報登録部１２０は、取得した全ての隣接情報の全てのポートについてログイン管理テーブル１３０に記憶された情報と比較を行ったか否かを判定し（ステップＳ２０８）、全ての隣接情報の全てのポートについてログイン管理テーブル１３０に記憶された情報と比較を行った場合には、処理を終了し、いずれかの隣接情報のいずれかのポートについてログイン管理テーブル１３０に記憶された情報と比較を行っていない場合には、ステップＳ２０２に戻り、他のポートについて隣接情報とログイン管理テーブル１３０の情報との比較を行う。
【００６０】
一方、隣接情報のポートについて、接続先ＴＩＤとログイン管理テーブル１３０のPort接続先とが一致しない場合には、そのポートに接続するＮＥが変更された場合であるので、隣接情報の接続先ＴＩＤをログイン管理テーブル１３０のログイン済ＴＩＤと比較し（ステップＳ２０９）、一致するログイン済ＴＩＤがあるか否かを判定する（ステップＳ２１０）。
【００６１】
その結果、一致するログイン済ＴＩＤがない場合には、ネットワーク構成の変更により未ログインＮＥが発生した場合であるので、隣接情報取得部１１０がその未ログインＮＥから隣接情報を取得し、隣接情報登録部１２０がログイン管理テーブル１３０に登録する処理を未ログインＮＥがなくなるまで繰り返す（ステップＳ２１１）。そして、ステップＳ２０７に進んでネットワーク図表示部１５０がネットワーク構成図を更新する。
【００６２】
また、一致するログイン済ＴＩＤがある場合には、未ログインＮＥではないので、隣接情報登録部１２０がログイン管理テーブル１３０を更新し（ステップＳ２１２）、ステップＳ２０７に進んでネットワーク図表示部１５０がネットワーク構成図を更新する。
【００６３】
このように、隣接情報取得部１１０がログイン済ＮＥから定期的に隣接情報を取得し、隣接情報登録部１２０が各隣接情報のポートごとに隣接情報とログイン管理テーブル１３０に記憶された情報とを比較することによって、ネットワーク構成の変更を検出し、ログイン管理テーブル１３０を自動更新することができる。
【００６４】
次に、ネットワーク構成の変更に伴う伝送装置１０の隣接情報管理テーブル１４およびネットワーク監視制御装置１００のログイン管理テーブル１３０の更新例について説明する。
【００６５】
まず、伝送装置１０が追加された場合の隣接情報管理テーブル１４およびログイン管理テーブル１３０の更新例について図９〜図１１を用いて説明する。図９は、ネットワーク構成の変更例（ＮＥ追加）を示す図であり、図１０は、ネットワーク構成変更後の隣接情報管理テーブル１４を示す図であり、図１１は、ネットワーク構成変更後のログイン管理テーブル１３０を示す図である。
【００６６】
図９を図４と比較すると、伝送装置「ＴＯＫＹＯ」と伝送装置「ＫＹＯＴＯ」の間に伝送装置「ＮＡＧＯＹＡ」が追加され、伝送装置「ＮＡＧＯＹＡ」は、伝送装置「ＴＯＫＹＯ」と伝送装置「ＫＹＯＴＯ」との間で相互にヘルスチェックを行っている。これに伴い、図１０に示すように、例えば、伝送装置「ＴＯＫＹＯ」の隣接情報管理テーブル１４は、図５に示した隣接情報管理テーブル１４と比較して、ポート「ＨＳ−１」の接続先が伝送装置「ＫＹＯＴＯ」から伝送装置「ＮＡＧＯＹＡ」に変更されている。また、図１１に示すように、ログイン管理テーブル１３０は、図６に示したログイン管理テーブル１３０と比較して、ログイン済ＴＩＤとして「ＮＡＧＯＹＡ」が追加されるとともに、関連する「ＫＹＯＴＯ」と「ＴＯＫＹＯ」の情報が更新されている。
【００６７】
次に、伝送装置１０が削除された場合の隣接情報管理テーブル１４およびログイン管理テーブル１３０の更新例について図１２〜図１４を用いて説明する。図１２は、ネットワーク構成の変更例（ＮＥ削除）を示す図であり、図１３は、ネットワーク構成変更後の隣接情報管理テーブル１４を示す図であり、図１４は、ネットワーク構成変更後のログイン管理テーブル１３０を示す図である。
【００６８】
図１２を図４と比較すると、伝送装置「ＴＯＫＹＯ」が削除され、伝送装置「ＯＳＡＫＡ」と伝送装置「ＫＹＯＴＯ」は、リングネットワークの二つの方向で接続される。これに伴い、図１３に示すように、例えば、伝送装置「ＯＳＡＫＡ」の隣接情報管理テーブル１４は、図５に示した隣接情報管理テーブル１４と比較して、ポート「ＨＳ−１」の接続先が伝送装置「ＴＯＫＹＯ」から伝送装置「ＫＹＯＴＯ」に変更されている。また、図１４に示すように、ログイン管理テーブル１３０は、図６に示したログイン管理テーブル１３０と比較して、ログイン済ＴＩＤとして「ＴＯＫＹＯ」が削除されるとともに、関連する「ＯＳＡＫＡ」と「ＫＹＯＴＯ」の情報が更新されている。
【００６９】
上述してきたように、本実施例では、各伝送装置１０は、隣接する伝送装置１０との間の接続情報が接続情報挿入部１２によって挿入されたヘルスチェック応答フレームを通信状態確認部１１がヘルスチェック確認に対する応答として送信し、隣接する伝送装置１０から通信状態確認部１１が受信したヘルスチェック応答フレームから接続情報解析部１３が接続情報を取り出して隣接情報管理テーブル１４に記憶し、ネットワーク監視制御装置１００は、隣接情報取得部１１０が各伝送装置１０の隣接情報管理テーブル１４から隣接情報を取得し、隣接情報登録部１２０が隣接情報をログイン管理テーブル１３０に登録することとしたので、ネットワーク監視制御装置１００は、ネットワーク構成に関する情報を自動的に取得し、手作業による設定を不要とすることができる。
【００７０】
また、ネットワーク監視制御装置１００は、隣接情報取得部１１０が定期的に各伝送装置１０から隣接情報を取得し、隣接情報登録部１２０が隣接情報取得部１１０によって取得された隣接情報がログイン管理テーブル１３０に記憶された情報と一致するか否かを判定し、両者が一致しない場合には、取得した隣接情報を用いてログイン管理テーブル１３０を更新することとしたので、ネットワーク構成の変更をログイン管理テーブル１３０に自動的に反映することができる。
【００７１】
なお、本実施例では、ネットワーク監視制御装置および伝送装置について説明したが、ネットワーク監視制御装置および伝送装置が有する構成をソフトウェアによって実現することで、同様の機能を有するネットワーク監視制御プログラムおよび伝送プログラムを得ることができる。そこで、ここでは、ネットワーク監視制御プログラムを実行するコンピュータについて説明する。なお、伝送プログラムについても同様なコンピュータによって実行することができる。
【００７２】
図１５は、本実施例に係るネットワーク監視制御プログラムを実行するコンピュータの構成を示す機能ブロック図である。同図に示すように、このコンピュータ２００は、ＲＡＭ２１０と、ＭＰＵ２２０と、ＨＤＤ２３０と、ネットワークインタフェース２４０と、入出力インタフェース２５０とを有する。
【００７３】
ＲＡＭ２１０は、プログラムやプログラムの実行途中結果などを記憶するメモリであり、ＭＰＵ２２０は、ＨＤＤ２３０からプログラムを読み出して実行する処理装置である。ＨＤＤ２３０は、プログラムやデータを格納するディスク装置であり、ネットワークインタフェース２４０は、コンピュータ２００をネットワーク経由で他の装置に接続するためのインタフェースである。入出力インタフェース２５０は、マウスやキーボードなどの入力装置および表示装置を接続するためのインタフェースである。
【００７４】
そして、このコンピュータ２００において実行されるネットワーク監視制御プログラム２１１は、ＨＤＤ２３０からＲＡＭ２１０に読み出されてＭＰＵ２２０によってネットワーク監視制御タスク２２１として実行される。
【００７５】
（付記１）複数の伝送装置から構成されるＳＤＨ／ＳＯＮＥＴネットワークを監視制御するネットワーク監視制御装置であって、
隣接する伝送装置との間の接続に関する情報である隣接情報を各伝送装置から取得する隣接情報取得手段と、
前記隣接情報取得手段により各伝送装置から取得された隣接情報に基づいてＳＤＨ／ＳＯＮＥＴネットワークを監視制御する監視制御手段と、
を備えたことを特徴とするネットワーク監視制御装置。
【００７６】
（付記２）前記監視制御手段は、前記隣接情報取得手段により各伝送装置から取得された隣接情報に基づいてＳＤＨ／ＳＯＮＥＴネットワークの構成図を表示する構成図表示手段を備えたことを特徴とする付記１に記載のネットワーク監視制御装置。
【００７７】
（付記３）前記隣接情報取得手段は、各伝送装置から隣接する全ての伝送装置について、識別子と、接続元および接続先のポート情報と、網構成情報とを隣接情報として取得し、
前記構成図表示手段は、前記構成図に伝送装置の識別子と、接続元および接続先のポート情報と、網構成情報を含めることを特徴とする付記２に記載のネットワーク監視制御装置。
【００７８】
（付記４）前記隣接情報取得手段は、所定の周期で前記隣接情報を各伝送装置から取得し、
前記監視制御手段は、前記隣接情報取得手段が所定の周期で各伝送装置から取得する隣接情報のうち最新の隣接情報に基づいてＳＤＨ／ＳＯＮＥＴネットワークを監視制御することを特徴とする付記１、２または３に記載のネットワーク監視制御装置。
【００７９】
（付記５）複数の伝送装置から構成されるＳＤＨ／ＳＯＮＥＴネットワークを監視制御するネットワーク監視制御方法であって、
各伝送装置が隣接する伝送装置との間で通信状態を相互に確認する際に使用する通信状態確認用情報に該通信状態確認用情報の伝送先の伝送装置との間の接続に関する情報である接続情報を含めて隣接する伝送装置に送信する隣接情報送信工程と、
前記隣接情報送信工程により送信された情報に基づいて各伝送装置が隣接する伝送装置との間の接続に関する情報である隣接情報を作成する隣接情報作成工程と、
前記隣接情報作成工程により作成された隣接情報をＳＤＨ／ＳＯＮＥＴネットワークを監視するネットワーク監視制御装置が各伝送装置から取得する隣接情報取得工程と、
前記隣接情報取得工程により各伝送装置から取得された隣接情報に基づいてネットワーク監視制御装置がＳＤＨ／ＳＯＮＥＴネットワークを監視制御する監視制御工程と、
を含んだことを特徴とするネットワーク監視制御方法。
【００８０】
（付記６）前記監視制御工程は、前記隣接情報取得工程により各伝送装置から取得された隣接情報に基づいてＳＤＨ／ＳＯＮＥＴネットワークの構成図を表示する構成図表示工程を含んだことを特徴とする付記５に記載のネットワーク監視制御方法。
【００８１】
（付記７）前記隣接情報取得工程は、各伝送装置から隣接する全ての伝送装置について、識別子と、接続元および接続先のポート情報と、網構成情報とを隣接情報として取得し、
前記構成図表示工程は、前記構成図に伝送装置の識別子と、接続元および接続先のポート情報と、網構成情報を含めることを特徴とする付記６に記載のネットワーク監視制御方法。
【００８２】
（付記８）前記隣接情報取得工程は、所定の周期で前記隣接情報を各伝送装置から取得し、
前記監視制御工程は、前記隣接情報取得工程が所定の周期で各伝送装置から取得する隣接情報のうち最新の隣接情報に基づいてＳＤＨ／ＳＯＮＥＴネットワークを監視制御することを特徴とする付記５、６または７に記載のネットワーク監視制御方法。
【００８３】
（付記９）複数の伝送装置から構成されるＳＤＨ／ＳＯＮＥＴネットワークをネットワーク監視制御装置が監視制御するネットワーク監視制御システムであって、
各伝送装置は、
隣接する伝送装置との間で通信状態を相互に確認する際に使用する通信状態確認用情報に該通信状態確認用情報の伝送先の伝送装置との間の接続に関する情報である接続情報を含めて隣接する伝送装置に送信する隣接情報送信手段と、
前記隣接情報送信手段により送信された情報に基づいて、隣接する伝送装置との間の接続に関する情報である隣接情報を作成する隣接情報作成手段と、
を備え、
前記ネットワーク監視制御装置は、
前記隣接情報作成手段により作成された隣接情報を各伝送装置から取得する隣接情報取得手段と、
前記隣接情報取得手段により各伝送装置から取得された隣接情報に基づいてＳＤＨ／ＳＯＮＥＴネットワークを監視制御する監視制御手段と、
を備えたことを特徴とするネットワーク監視制御システム。
【産業上の利用可能性】
【００８４】
以上のように、本発明に係るネットワーク監視制御装置、ネットワーク監視制御方法およびネットワーク監視制御システムは、ＳＤＨ／ＳＯＮＥＴネットワークの監視制御に有用であり、特に、多数の伝送装置から構成される大規模なＳＤＨ／ＳＯＮＥＴネットワークの監視制御に適している。
【図面の簡単な説明】
【００８５】
【図１】本実施例に係るネットワーク監視制御システムの構成を示す図である。
【図２】伝送装置の構成を示す機能ブロック図である。
【図３−１】ヘルスチェック用フレームフォーマットを示す図である。
【図３−２】データ部の詳細を示す図である。
【図４】ヘルスチェック応答フレームによる接続情報の送信例を示す図である。
【図５】隣接情報管理テーブルの例を示す図である。
【図６】ログイン管理テーブルの一例を示す図である。
【図７】本実施例に係るネットワーク監視制御装置による未ログインＮＥ検出処理の処理手順を示すフローチャートである。
【図８】本実施例に係るネットワーク監視制御装置によるネットワーク構成変更検出処理の処理手順を示すフローチャートである。
【図９】ネットワーク構成の変更例（ＮＥ追加）を示す図である。
【図１０】ネットワーク構成変更後の隣接情報管理テーブルを示す図である。
【図１１】ネットワーク構成変更後のログイン管理テーブルを示す図である。
【図１２】ネットワーク構成の変更例（ＮＥ削除）を示す図である。
【図１３】ネットワーク構成変更後の隣接情報管理テーブルを示す図である。
【図１４】ネットワーク構成変更後のログイン管理テーブルを示す図である。
【図１５】本実施例に係るネットワーク監視制御プログラムを実行するコンピュータの構成を示す機能ブロック図である。
【符号の説明】
【００８６】
１０    伝送装置
１１    通信状態確認部
１２    接続情報挿入部
１３    接続情報解析部
１４    隣接情報管理テーブル
１５    リモートログイン処理部
１００    ネットワーク監視制御装置
１１０    隣接情報取得部
１２０    隣接情報登録部
１３０    ログイン管理テーブル
１４０    隣接情報取得判定部
１５０    ネットワーク図表示部
１６０    監視制御部
２００    コンピュータ
２１０    ＲＡＭ
２１１    ネットワーク監視制御プログラム
２２０    ＭＰＵ
２２１    ネットワーク監視制御タスク
２３０    ＨＤＤ
２４０    ネットワークインタフェース
２５０    入出力インタフェース
【図１】
2006270556.tif 000003
【図２】
2006270556.tif 000004
【図３−１】
2006270556.tif 000005
【図３−２】
2006270556.tif 000006
【図４】
2006270556.tif 000007
【図５】
2006270556.tif 000008
【図６】
2006270556.tif 000009
【図７】
2006270556.tif 000010
【図８】
2006270556.tif 000011
【図９】
2006270556.tif 000012
【図１０】
2006270556.tif 000013
【図１１】
2006270556.tif 000014
【図１２】
2006270556.tif 000015
【図１３】
2006270556.tif 000016
【図１４】
2006270556.tif 000017
【図１５】
2006270556.tif 000018